(57)【要約】【目的】使用前には折り畳んでコンパクトな状態にして持ち運びに便利であるとともに、採尿時にはこれを簡単な手作業でカップ状に組み立てて使用することができるような構成の紙製採尿容器を提供する。【構成】方形の底面パネル１１と、底面パネルの一対の対向する辺ａ，ｃを介して外方に延設される側面パネル１２ａ，１２ｂと、各側面パネルからさらに外方に延設される折り込み係止部１３ａ，１３ｂと、底面パネルの他の一対の対向する辺ｂ，ｄを介して外方に延設される折り込みパネル１４ａ，１４ｂと、折り込みパネルの一方１４ｂからさらに外方に延設される把持部１５とを有するブランク１０を、底面パネルの前記一対の対向する辺を谷折り線とするとともに該一対の対向する辺と平行な中心線ｅ１〜ｅ３を山折り線として底面パネルおよび折り込みパネルを折り込み、折り込みパネルの折り込み部を折り込み係止部に係止して折り畳み状態とする。これを、底面パネルを底面とし前記一対の側面パネルおよび前記一対の折り込みパネルを側面とするカップ状に成形して紙製採尿容器に組み立てる。【選択図】　　　図１
2004069577.tif 000002
【特許請求の範囲】
【請求項１】
展開状態において、方形の底面パネルと、底面パネルの一対の対向する辺を介して外方に延設される側面パネルと、各側面パネルからさらに外方に延設される折り込み係止部と、底面パネルの他の一対の対向する辺を介して外方に延設される折り込みパネルと、折り込みパネルの一方からさらに外方に延設される把持部とを有しており、底面パネルの前記一対の対向する辺を谷折り線とするとともに該一対の対向する辺と平行な中心線を山折り線として底面パネルおよび折り込みパネルを折り込み、折り込みパネルの折り込み部を折り込み係止部に係止して折り畳み状態とされ、この折り畳み状態から底面パネルにおける前記山折り線を押し込んで底面パネルを略平坦面とすることにより、底面パネルを底面とし前記一対の側面パネルおよび前記一対の折り込みパネルを側面とするカップ状に成形されることを特徴とする紙製採尿容器。
【請求項２】
前記山折り線と直線状に整列する折り線が把持部に設けられ、前記折り畳み状態において把持部は該折り線で折り畳まれて側面パネル間に折り込み収納可能であることを特徴とする、請求項１記載の紙製採尿容器。
【請求項３】
折り込み係止部は、側面パネルの上縁を介して隣接する被覆部と、先端部と、これら被覆部と先端部との間において両側から切り込み形成されたスリットとを有しており、前記折り畳み状態において、側面パネルの上縁から外方に折り返した被覆部によって折り込みパネルの折り込み部が被覆され、且つ、スリットを介して先端部の両端部が折り込みパネルの折り込み部と側面パネルとの間に挟み込まれて側面パネルを補強していることを特徴とする、請求項１または２記載の紙製採尿容器。
【請求項４】
折り込みパネルの折り込み部が、側面パネルと、該側面パネルの外側に折り込まれた折り込み係止部との間に挿入されて、接着剤で接着されることを特徴とする、請求項１ないし３のいずれか記載の紙製採尿容器。
【発明の詳細な説明】
【０００１】
【発明の属する技術分野】
本発明は紙製採尿容器に関し、特に、不使用時には折り畳み状態とすることによって嵩張らず持ち運びに便利であり、採尿時には簡単な作業でこれをカップ状に起こして採尿容器として使用可能となる紙製採尿容器に関する。
【０００２】
【従来の技術】
尿検査は、尿中の各種細胞、蛋白、糖などにより腎臓、尿路などの疾患の有無を知ることができ、具体的には腎臓や膀胱の異常、糖尿病、肝臓病、膠原病、骨髄腫、悪性腫瘍などを発見する手がかりとなることから、学校や職場における健康診断その他各種検診の際の一般検査項目として広く行われている。また、近年では各種スポーツ競技会におけるドーピング検査としても尿検査が実施されている。
【０００３】
尿検査のためには尿を採取する必要があり、このための採尿容器として、従来より、紙製やポリエチレン製のカップ容器が多用されている。特に、近年では自宅で採尿したものをスポイト式の所定の容器に密封して職場や学校に持参する、いわゆる自宅採取が主流となっており、このような採尿に便利なように、平板状に展開した状態にして持ち運びを便利とするとともに、これを簡単な作業で折り畳んでカップ状に組み立てるタイプの容器が開発されている。この容器を平板状に展開した状態で職場や学校から支給された被検査者は、自宅でこれを折り畳んでカップ状に組み立てて採尿容器として用い、その中から所定量を吸引して所定容器に移し替え、職場や学校に持参して尿検査に供する。
【０００４】
【発明が解決しようとする課題】
しかしながら、上述のような折り畳み／組み立てタイプの採尿容器をポリエチレン製としたものは、該材料が持つ復元性によって平板状に折り畳むことが困難であったり、あるいはカップ状に組み立てても手を離すと折り畳み状態に戻ろうとして自立しない、不燃ゴミとして使用後廃棄しなければならない、などの問題がある。また、紙製の同タイプの採尿容器はカップ状に組み立てても強度が不足するために自立性がなく、補強のために一部を接着剤で接着する必要がある、などの問題がある。
【０００５】
【課題を解決するための手段】
そこで本発明は、従来技術における上記問題を解決し、使用前には折り畳んでコンパクトな状態にして持ち運びに便利であるとともに、採尿時にはこれを簡単な手作業でカップ状に組み立てて使用することができるような構成の紙製採尿容器を提供することを目的とする。
【０００６】
この目的を達成するため、請求項１にかかる本発明は、展開状態において、方形の底面パネルと、底面パネルの一対の対向する辺を介して外方に延設される側面パネルと、各側面パネルからさらに外方に延設される折り込み係止部と、底面パネルの他の一対の対向する辺を介して外方に延設される折り込みパネルと、折り込みパネルの一方からさらに外方に延設される把持部とを有しており、底面パネルの前記一対の対向する辺を谷折り線とするとともに該一対の対向する辺と平行な中心線を山折り線として底面パネルおよび折り込みパネルを折り込み、折り込みパネルの折り込み部を折り込み係止部に係止して折り畳み状態とされ、この折り畳み状態から底面パネルにおける前記山折り線を押し込んで底面パネルを略平坦面とすることにより、底面パネルを底面とし前記一対の側面パネルおよび前記一対の折り込みパネルを側面とするカップ状に成形されることを特徴とする紙製採尿容器である。
【０００７】
請求項２は、請求項１記載の紙製採尿容器において、前記山折り線と直線状に整列する折り線が把持部に設けられ、前記折り畳み状態において把持部は該折り線で折り畳まれて側面パネル間に折り込み収納可能であることを特徴としている。
【０００８】
請求項３は、請求項１または２記載の紙製採尿容器において、折り込み係止部は、側面パネルの上縁を介して隣接する被覆部と、先端部と、これら被覆部と先端部との間において両側から切り込み形成されたスリットとを有しており、前記折り畳み状態において、側面パネルの上縁から外方に折り返した被覆部によって折り込みパネルの折り込み部が被覆され、且つ、スリットを介して先端部の両端部が折り込みパネルの折り込み部と側面パネルとの間に挟み込まれて側面パネルを補強していることを特徴としている。
【０００９】
請求項４は、請求項１ないし３のいずれか記載の紙製採尿容器において、折り込みパネルの折り込み部が、側面パネルと、該側面パネルの外側に折り込まれた折り込み係止部との間に挿入されて、接着剤で接着されることを特徴としている。
【００１０】
【発明の実施の形態】
図１は、本発明の一実施形態による紙製採尿容器に組み立てるために作成されるブランク１０の展開図である。このブランク１０は、適当な厚さの板紙を図示のような所定形状に打ち抜いて形成したものであって、折り線ａ〜ｄを四辺とする正方形状の底面パネル１１と、この底面パネル１１の一対の対向する折り線ａ，ｃを介して外方に延設される側面パネル１２ａ，１２ｂと、各側面パネルからさらに外方に延設される折り込み係止部１３ａ，１３ｂと、底面パネル１１の他の一対の対向する折り線ｂ，ｄを介して外方に延設される折り込みパネル１４ａ，１４ｂと、一方の折り込みパネル１４ｂからさらに外方に延設される把持部１５とを有しており、折り込みパネル１４ａから底面パネル１１および折り込みパネル１４ｂを経て把持部１５に亘って延長する折り線ｅ（ｅ１〜ｅ６）を中心に左右対称に構成されている。
【００１１】
したがって、側面パネル１２ａ，１２ｂは同一形状である。側面パネル１２ａは、底面パネル１１との境界線となる折り線ａ、折り込みパネル１４ａ，１４ｂとの境界線となる折り線ｆ，ｇおよび折り込み係止部１３ａとの境界線となる折り線ｈに囲まれた台形をなしている。同様に、側面パネル１２ｂは、底面パネル１１との境界線となる折り線ｃ、折り込みパネル１４ａ，１４ｂとの境界線となる折り線ｉ，ｊおよび折り込み係止部１３ｂとの境界線となる折り線ｋに囲まれた台形をなしている。また、側面パネル１２ａ，１２ｂには採尿量の目安とするための採尿ライン１６ａ，１６ｂが表示されている。
【００１２】
折り込み係止部１３ａ，１３ｂも同一形状である。折り込み係止部１３ａは、側面パネル１２ａと折り線ｈを介して隣接する比較的幅広の台形状に形成される被覆部１３１ａと、被覆部１３１ａよりも幅狭の台形状に形成される先端部１３２ａと、これら被覆部１３１ａと先端部１３２ａとの間において両側から切り込み形成された一対のスリット１３３ａとを有している。同様に、折り込み係止部１３ｂは、側面パネル１２ｂと折り線ｋを介して隣接する比較的幅広の台形状に形成される被覆部１３１ｂと、被覆部１３１ｂよりも幅狭の台形状に形成される先端部１３２ｂと、これら被覆部１３１ｂと先端部１３２ｂとの間において両側から切り込み形成された一対のスリット１３３ｂとを有している。
【００１３】
折り込みパネル１４ａ，１４ｂも同一形状である。折り込みパネル１４ａは、底面パネル１１と折り線ｂを介して隣接する中央部１４１ａと、中央部１４１ａの両側に折り線ｌ，ｍを介して隣接する折り込み部１４２ａ，１４３ａとを有し、折り込み部１４２ａは折り線ｆで側面パネル１２ａと接しており、折り込み部１４３ａは折り線ｉで側面パネル１２ｂと接している。同様に、折り込みパネル１４ｂは、底面パネル１１と折り線ｄを介して隣接する中央部１４１ｂと、中央部１４１ｂの両側に折り線ｎ，ｏを介して隣接する折り込み部１４２ｂ，１４３ｂとを有し、折り込み部１４２ｂは折り線ｇで側面パネル１２ａと接しており、折り込み部１４３ｂは折り線ｊで側面パネル１２ｂと接している。
【００１４】
また、折り込みパネル１４ａ，１４ｂの中央部１４１ａ，１４１ｂには、側面パネル１２ａ，１２ｂにおける採尿ライン１６ａ，１６ｂと共働して採尿量の目安を示す採尿ライン１６ｃ，１６ｄが表示されている。折り込み部１４２ａ，１４３ａ：１４２ｂ，１４３ｂは、後述のようにカップ状容器への組立時において側面パネル１２ａ，１２ｂの外側に折り込まれる部分であって、組み立てられた状態の採尿容器の内側には現れないので、この部分には採尿ラインを表示する必要がない。
【００１５】
折り込みパネル１４ａ，１４ｂにおける各折り込み部１４２ａ，１４３ａ：１４２ｂ，１４３ｂは、底面パネル１１の頂点を始点としてこれらの領域を２つの三角形部分に等分する折り線ｐ，ｑ，ｒ，ｓを有している。
【００１６】
また、折り込みパネル１４ａ，１４ｂにおける各中央部１４１ａ，１４１ｂは、底面パネル１１の頂点と中心線としての折り線ｅ上の所定点とを結ぶ折り線ｔ，ｕ：ｖ，ｗを有している。さらに、把持部１５は折り線ｘ，ｙで折り込みパネル１４ｂの中央部１４１ｂと接している。
【００１７】
なお、中心線としての折り線ｅのうち、折り線ｅ１は底面パネル１１の領域内にあり、折り線ｅ２とｅ４は折り込みパネル１４ａの領域内にあり、同様に折り線ｅ３とｅ５は折り込みパネル１４ｂの領域内にあり、折り線ｅ６は把持部１５の領域内にある。折り込みパネル１４ａ内の折り線ｅ２とｅ４は、底面パネル１１の一辺である折り線ｂから折り線ｔ，ｕの合流点に至るまでが折り線ｅ２とされ、該合流点とブランク外縁との間が折り線ｅ４とされている。同様に、折り込みパネル１４ｂ内の折り線ｅ３とｅ５は、底面パネル１１の一辺である折り線ｄから折り線ｖ，ｗの合流点に至るまでが折り線ｅ３とされ、該合流点と折り線ｘ，ｙの合流点との間が折り線ｅ５とされている。把持部１５内の折り線ｅ６は、折り線ｘ，ｙの合流点とブランク外縁との間に延長している。
【００１８】
ブランク１０に内在する折り線ａ〜ｙのうち、折り線ａ〜ｄ，ｅ４，ｅ５，ｌ〜ｏ，ｐ〜ｓ，ｔ〜ｗ，ｘ〜ｙはカップ状に組み立てる際に谷折り線として用いられ、他の折り線ｅ１〜ｅ３，ｆ〜ｋは組立時に山折り線として用いられる。したがって、これら折り線ａ〜ｙにはあらかじめ組立時の用法に応じた谷折りまたは山折りの折り癖をつけておくことが好ましい。把持部１５内の折り線ｅ６は、カップ状に組み立てた状態（図２）では谷折りとなり、把持部１５を側面パネル１２ａ，１２ｂ内に折り込み収容した状態（図３）では山折りとなる。
【００１９】
このブランク１０をカップ状に組み立てた状態にして側面パネル１２ａ側から見たときの側面図が図２に示されている。このような組立状態とするには、折り線ａ，ｃで谷折りして側面パネル１２ａ，１２ｂを立ち上げるとともに、中心線となる折り線ｅ１〜ｅ３および折り線ｆ〜ｋで山折りして折り畳み状態とし、同時に、折り線ｐ，ｒで谷折りして三角形状に折り畳まれた折り込み部１４２ａ，１４２ｂを側面パネル１２ａの外側に回り込ませるとともに、折り線ｑ，ｓで谷折りして三角形状に折り畳まれた折り込み部１４３ａ，１４３ｂを側面パネル１２ｂの外側に回り込ませ、これらを覆うように、折り込み係止部１３ａ，１３ｂを折れ線ｈ，ｋで山折りして側面パネル１２ａ，１２ｂの外側に折り重ねる。次いで、スリット１３３ａ，１３３ｂを利用して折り込み係止部１３ａ，１３ｂの先端部１３２ａ，１３２ｂの両端を側面パネル１２ａ，１２ｂと折り畳み三角形状の折り込み部１４２ａ，１４２ｂ：１４３ａ，１４３ｂとの間に挿入して、図２に示すようなカップ形状に組み上げることができる。
【００２０】
このとき、中心線となる折り線ｅ１〜ｅ３を山折り、折り線ｅ４〜ｅ６を谷折りとすることによって、折り畳み状態とすることができ、この状態での持ち運びにも便利である。
【００２１】
この折り畳み状態から、底面パネル１１における山折り線ｅ１〜ｅ３を押し込んで底面パネル１１を略平坦面とすることにより、底面パネル１１を底面とする上面開口のカップ形状に簡単に成形することができる。底面パネル１１の辺ａ，ｃから立ち上がる側面は、側面パネル１２ａ，１２ｂの外側に折り込みパネル１４ａ，１４ｂの折り込み部１４２ａ，１４２ｂ：１４３ａ，１４３ｂが折り込まれ且つ折り込み係止部１３ａ，１３ｂが折り重ねられているので、十分な補強効果が得られており、また、折り込みパネル１４ａ，１４ｂの該折り込み部がスリット１３３ａ，１３３ｂを介して側面パネル１２ａ，１２ｂと折り込み部１４２ａ，１４２ｂ：１４３ａ，１４３ｂとの間に挟み込まれて容易には離脱不能であるため、採尿容器として実用上十分な強度および保形性を有している。
【００２２】
このようにしてカップ形状に成形した状態（組立状態）として、この容器を把持部１５を手で掴んで、採尿ライン１６ａ〜１６ｂを目安にして適当量の尿を採取する。この容器の開口先端部は谷折り線ｔ，ｕ，ｅ４によって前方に突出した状態であるが、必要に応じて、これらの谷折り線を内側に押し込むことによって折り込みパネル１４ａの全体を略平板状にすれば容器開口を狭めることができる。
【００２３】
既述したところから理解されるように、図２は、本発明の一実施形態による採尿容器（カップ形状に組み立てた状態の容器）の側面図であると同時に、中心線となる折り線ｅのうちの折り線ｅ１〜ｅ３を山折り、折り線ｅ４〜ｅ６を谷折りとすることによって折り畳んだ状態の側面図でもある。そして、この折り畳み状態から把持部１５の背部（谷折り線ｅ６に沿った稜線部）を指で押して把持部１５を図２において右上に押し上げると、側面パネル１２ａ，１２ｂが徐々に開き、把持部１５が略平板状とされた後もさらに押し込んでゆくと、折り線ｅ６がそれまでの谷折り線から山折り線（容器の内側から見たとき）に変わるとともに折り線ｘ，ｙが谷折り線となって、把持部１５が折り線ｅ６で二つに折り畳まれた状態で側面パネル１２ａ，１２ｂ間に折り込まれる。この状態が図３に示されており、よりコンパクトな折り畳み状態となってさらに持ち運びが便利である。
【００２４】
以上に本発明の一実施形態による紙製採尿容器を詳細に説明したが、本発明はこれに限定されるものではなく、特許請求の範囲に記載された範囲内において種々の変形態様を取り得る。
【００２５】
たとえば、図示実施形態では、折り込み係止パネル１３ａ，１３ｂにスリット１３３ａ，１３３ｂおよび先端部１３２ａ，１３２ｂを設け、該スリットに折り畳み状態の折り込み部１４２ａ，１４３ａ：１４２ｂ，１４３ｂを係止して折り畳み状態とするとともにカップ形状保持性を与えるようにしているが、このような係止手段に代えて、または併用して、接着剤による接着で係止するようにしてもよい。接着剤による接着のみで係止する場合は、スリット１３３ａ，１３３ｂは不要となる。
【００２６】
【発明の効果】
本発明によれば、使用前には折り畳んでコンパクトな状態にして持ち運びに便利であるとともに、採尿容器としての使用時にはこれを簡単な手作業でカップ状に組み立てることができる。
【図面の簡単な説明】
【図１】本発明の一実施形態による紙製採尿容器を組み立てるために作成されるブランクの展開図である。
【図２】図１に示すブランクをカップ状に組み立てて採尿容器としたときの側面を示すとともに、その中心線で折り畳んだ一つの折り畳み状態としたときの側面を示すものでもある側面図である。
【図３】図２に示す折り畳み状態から把持部を側面パネル間に折り込んで収容した、もう一つの折り畳み状の側面図である。
【符号の説明】
１０　ブランク
１１　底面パネル
１２ａ，１２ｂ　側面パネル
１３ａ，１３ｂ　折り込み係止部
１４ａ，１４ｂ　折り込みパネル
１５　把持部
ａ〜ｃ　底面パネルの四辺である折り線
ｅ（ｅ１〜ｅ６）　中心線である折り線
【図１】
2004069577.tif 000003
【図２】
2004069577.tif 000004
【図３】
2004069577.tif 000005